(57)【要約】【課題】管を床下の側壁に近接させて配管することができるうえ、管支持受部材の高さ調整操作を容易にする。【解決手段】管Ｐを載置して支持する支持部１１の基端に、下方に向けて延設された延設片１２を形成すると共に、この延設片１２の外面に凹凸部１３を形成してなる管支持受部材１と、延設片１２の凹凸部１３と係合される凹凸受部２１を内面に形成すると共に、その下端をベース基材４に固定して立設された支柱２と、上記凹凸部１３及び凹凸受部２１との係合を固定、解除するロック手段３と、を備えてなり、上記ロック手段３をアンロック操作して、片持ち支持された管支持受部材１を上下に昇降させた後にロック操作して、管Ｐの高さを所望位置に調整可能にしたことを特徴とする。【選択図】図１
2006090445.tif 000002
【特許請求の範囲】
【請求項１】
管を載置して支持する支持部の基端に、下方に向けて延設された延設片を形成すると共に、この延設片の外面に凹凸部を形成してなる管支持受部材と、
延設片の凹凸部と係合される凹凸受部を内面に形成すると共に、その下端をベース基材に固定して立設された支柱と、
上記凹凸部及び凹凸受部との係合を固定、解除するロック手段と、を備えてなり、
上記ロック手段をアンロック操作して、片持ち支持された管支持受部材を上下に昇降させた後にロック操作して、管の高さを所望位置に調整可能にしたことを特徴とする管支持具。
【請求項２】
請求項１において、
管支持受部材の支持部は、上方に拡開して開放された断面略Ｖ形又は断面略Ｕ形に形成され、この支持部の両端には、管を押え付けるための伸縮・変形可能な押付け部材を連結したことを特徴とする管支持具。
【請求項３】
請求項２において、
押付け部材は、これ自体が伸縮可能な弾性材料であることを特徴とする管支持具。
【請求項４】
請求項２において、
押付け部材は、非伸縮な材料であり、且つ、支持部の先端に、当該押付け部材を貫通させる通孔を形成すると共に、この押付け部材に圧着可能な止め具を設けてなり、管の外径、形状に応じて押付け部材の先端を引っ張り、その長さを調整して前記止め具で固定する構造にしたことを特徴とする管支持具。
【発明の詳細な説明】
【技術分野】
【０００１】
本発明は、マンション等の住宅の床下や天井裏等に配管される給水管、排水管、ガス管等の様々な管を支持するための管支持具に関する。
【背景技術】
【０００２】
従来より、例えば、マンション等の住宅の床下に配管される排水管を支持するための排水管支持具が知られている。
【０００３】
この排水管支持具は、排水管を載置して保持する管支持受部材と、この管支持受部材の両端に設けられた一対の支柱と、これら支柱の下端に架設して固定されたベース板と、相対向する支柱の高さ方向に連続する凹凸部を各々形成し、その凹部に管支持受部材の両端を係止させて管支持受部材を所定の高さに固定可能な一対の位置固定手段を備えて成る（例えば、特許文献１参照。）。
【０００４】
このような排水管支持具を用いて排水管を配管するには、ベース板を床下のコンクリート基礎上にボルト等で固定すると共に、位置固定手段を操作して管支持受部材を所定の高さ位置に固定し、その位置固定された管支持受部材に排水管を載置して支持するのである。
【特許文献１】特開２００３−２１３７５２号
【発明の開示】
【発明が解決しようとする課題】
【０００５】
しかしながら、従来の排水管支持具には、排水管を支持する管支持受部材の両端に、一対の支柱が対向して立設されている。
【０００６】
そのため、例えば、床下のコンクリート床面に立設する側壁近傍に排水管を配管したい場合等には、一方の支柱が邪魔になってしまい、排水管を前記側壁に近接させて配管できないという問題があった。
【０００７】
また、位置固定手段は、一対の支柱の各々に設けられているので、管支持受部材の高さを調整する場合には、位置固定手段の高さ調整操作を２回も行う手間があり、高さ調整操作に手間を要するという問題もあった。
【０００８】
更に、管支持受部材の形状は、排水管等の外径、形状に応じて形成されているが、排水管等の外径、形状に応じた管支持受部材を形成すれば、管理上不便であるうえ、生産コストも高くなってしまうという問題もあった。
【０００９】
本発明は、かかる課題を解決することを目的とするもので、排水管等の管を床下の側壁に近接させて配管することができるうえ、管支持受部材の高さ調整を素早くでき、しかも、１つの管支持受部材で種々の管の外径、形状に対応可能な管支持具を提供する。
【課題を解決するための手段】
【００１０】
上記目的を達成するため、
請求項１に係る管支持具は、管を載置して支持する支持部の基端に、下方に向けて延設された延設片を形成すると共に、この延設片の外面に凹凸部を形成してなる管支持受部材と、延設片の凹凸部と係合される凹凸受部を内面に形成すると共に、その下端をベース基材に固定して立設された支柱と、上記凹凸部及び凹凸受部との係合を固定、解除するロック手段と、を備えてなり、上記ロック手段をアンロック操作して、片持ち支持された管支持受部材を上下に昇降させた後にロック操作して、管の高さを所望位置に調整可能にしたことを特徴とする。
【００１１】
請求項２に係る管支持具は、請求項１において、管支持受部材の支持部は、上方が開放された断面略Ｖ形又は断面略Ｕ形に形成され、この支持部の両端には、管を押え付けるための伸縮・変形可能な押付け部材を連結したことを特徴とする。
【００１２】
請求項３に係る管支持具は、請求項２において、押付け部材は、これ自体が伸縮可能な弾性材料であることを特徴とする。
【００１３】
請求項４に係る管支持具は、請求項２において、押付け部材は、非伸縮な材料であり、且つ、支持部の先端に、当該押付け部材を貫通させる通孔を形成すると共に、この押付け部材に圧着可能な止め具を設けてなり、管の形状に応じて押付け部材の先端を引っ張り、その長さを調整して前記止め具で固定する構造にしたことを特徴とする。
【発明の効果】
【００１４】
本発明によれば、次のような効果がある。
請求項１に係る管支持具によれば、支柱は、管支持受部材の片側にのみ立設された片持ち支持の構造であるため、例えば、床下のコンクリート床面に立設する側壁近傍に管を配管したい場合等にも、支柱のない側を側壁に位置させて前記管を設置すれば、支柱が邪魔にならず、管を側壁に近接させて配管することができる。
【００１５】
又、管支持受部材の延設片の外面に形成した凹凸部と、支柱の内面に形成した凹凸受部とが係合する構造であるため、管支持受部材の支持部に管の加重がかかって生じる回転作用を、延設片と支柱とで係合して受け止めることができ、片持ち支持した構造であっても、管の加重に対する強度を十分に得ることができる。
【００１６】
しかも、管の高さ調整は、１つのロック手段を、ロック、アンロック操作するだけで良く、高さ調整操作を素早く行うことができる。
【００１７】
請求項２に係る管支持具によれば、管支持受部材の支持部は、上方が開放された断面略Ｖ形又は断面略Ｕ形に形成しているので、管の外径、形状が変更されても、同じ支持部によって、載置して支持することができる。加えて、支持部の両端には、管を押え付けるための伸縮・変形可能な押付け部材を連結しているので、管の外径、形状が変更されても、当該管が揺らいだりすることなく、確実に抱持して固定できる。
【００１８】
請求項３に係る管支持具によれば、押付け部材は、ゴムベルト、コイルバネ等を利用して、これ自体を伸縮可能な弾性材料で形成することができ、管の外径、形状が変更されても、管が設置される位置（センター）が変芯することなく、所定の位置となり、当該管が揺らいだりすることなく、確実に抱持して固定できる。
【００１９】
請求項４に係る管支持具によれば、押付け部材は、金属線、紐等の非伸縮な材料で形成し、管の外径、形状に合わせて、押付け部材の先端を引っ張って、その長さを止め具で固定するだけで、管の外径、形状が変更されても、当該管が揺らいだりすることなく、確実に抱持して固定できる。
【発明を実施するための最良の形態】
【００２０】
以下、本発明に係る管支持具Ａを図面とともに説明する。
【実施例１】
【００２１】
図１は、本発明に係る管支持具Ａの一実施例を示す使用状態の概略側面図である。
【００２２】
この管支持具Ａは、管Ｐを載置して支持する支持部１１の基端に、下方に向けて延設された延設片１２を形成すると共に、この延設片１２の外面に凹凸部１３を形成してなる管支持受部材１と、延設片１２の凹凸部１３と係合される凹凸受部２１を内面に形成すると共に、その下端をベース基材４に固定して立設された支柱２と、凹凸部１３及び凹凸受部２１との係合を固定、解除するロック手段３と、を備えてなり、ロック手段３をアンロック操作して、片持ち支持された管支持受部材１を上下に昇降させた後にロック操作して、管Ｐの高さを所望位置に調整可能にするものである。
【００２３】
管支持受部材１は、金属板の両側縁を折り曲げて形成することで強度を維持しており、その支持部１１の基端には、下方に向けて延設された延設片１２を形成している。又、延設片１２の外面には、上下に連続する鋸刃状の凹凸部１３を形成してなる。
【００２４】
この延設片１２に隣接して立設された支柱２は、延設片１２に向けて開放された断面コ状に形成し、その開放端縁には、延設片１２の凹凸部１３に係合される鋸刃状の凹凸受部２１を形成してなる。
【００２５】
なお、支柱２の下端は、支持部１１の下方に配置されたベース基材４に固定している。
【００２６】
この延設片１２の凹凸部１３と、支柱２前面の凹凸受部２１とは、その係合をロック手段３によって、固定・解除するようにしている。
【００２７】
本実施例のロック手段３は、図中破線で示した拡大断面図に示すように、延設片１２と支柱２とを外被し、且つ、後方に向けて開放されたカバー部３１と、カバー部３１の開放端部に嵌合されたロックレバー３２と、このロックレバー３２を枢着する軸部３３とよりなり、カバー部３１の閉止面は、延設片１２とリベット３４によって固定している。なお、ロック手段３は、本実施例の構造のものに限定されず、要は、管支持受部材１を昇降可能であって、この管支持受部材１を所望の高さ位置で固定できる構造のものであれば良い。
【００２８】
そして、ロック手段３のロックレバー３２をアンロック方向に回転操作すれば、延設片１２の凹凸部１３と、支柱２前面の凹凸受部２１は、その係合が解除され、管支持受部材１を上下方向に自在に昇降でき、管支持受部材１を所望の高さ位置に設定した後、先程のロックレバー３２をロック方向に回転操作すれば、延設片１２が支柱２に向けて圧接され、その凹凸部１３と凹凸受部２１が係合して、管支持受部材１の昇降が規制されてロック状態にされるのである。
【００２９】
このように、本発明の管支持具Ａによれば、支柱２は、管支持受部材１の片側にのみ立設された片持ち支持の構造であるため、例えば、床下のコンクリート床面に立設する側壁近傍に管Ｐを配管したい場合等にも、支柱２のない側を側壁に位置させて管Ｐを設置すれば、支柱２が邪魔にならず、管Ｐを側壁に近接させて配管することができる。
【００３０】
また、管支持受部材１の延設片２１の外面に形成した凹凸部１３と、支柱２の内面に形成した凹凸受部２１とが係合する構造であるため、管支持受部材１の支持部１１に管Ｐの加重がかかって生じる回転作用を、延設片１２と支柱２とで係合して受け止めることができ、片持ち支持した構造であっても、管Ｐの加重に対する強度を十分に得ることができる。
【００３１】
しかも、管Ｐの高さ調整は、１つのロック手段３を、ロック、アンロック操作するだけで良く、高さ調整操作を素早く行うことができる。
【００３２】
また、管支持受部材１の支持部１１は、上方に拡開して開放された断面略Ｖ形又は断面略Ｕ形に形成している。
【００３３】
このような断面略Ｖ形又は断面略Ｕ形の支持部１１であれば、図中二点鎖線で示すように、外径の異なる管Ｐを同じ支持部１１で載置して支持できるので、管Ｐの外径、形状に応じた支持部１１を製造する必要がなく、管理上も容易であるうえ、生産コストも安価にできる。
【００３４】
また、管Ｐを支持部１１に載置して支持するだけでは、管Ｐに揺れが生じ易いので、本実施例では、更に、支持部１１の両端に、管Ｐを押え付けるための伸縮・変形可能な押付け部材５を連結している。
【００３５】
この押付け部材５は、これ自体が伸縮可能な弾性材料を使用するか、又は、これ自体は伸縮しないが、その長さを調整して変形させて管Ｐを押え付けるものが使用できる。
【００３６】
前者の押付け部材５としては、例えば、伸縮可能な軟質のゴムベルト、コイルバネ等を用いることができ、これらを支持部１１の両端に固定しておけば、管Ｐの外径、形状に応じて伸縮されて管Ｐを押え付けることができる。
【００３７】
後者の押付け部材５としては、図中に例示するように、例えば、金属線、金属帯板、硬質のゴムベルト、紐材等の非伸縮な材料で形成し、且つ、支持部１１の先端に、押付け部材５を貫通させる通孔５１を形成すると共に、この押付け部材５に圧着可能な止め具５２を設けてなる。
【００３８】
そして、異なる外径、形状の管Ｐに応じて押付け部材５の先端を図中矢印で示すように下方に引っ張りながら押付け部材５を管Ｐに押し付けると共に、押付け部材５の先端付近には、孔、長孔、カギ孔等が設けられ、止め具５２を通孔５１に螺合して固定すれば、管Ｐの外径、形状に応じて押付け部材５の長さを調整できる。なお、止め具５２及び通孔５１を使用して、押付け部材５を固定する場所は、図中の位置に限定されるものではなく、要は、管Ｐの外径、形状に応じて押付け部材５の長さを調整できる位置であれば良い。
【００３９】
このように、何れの押付け部材５であっても、たとえ管Ｐの外径、形状が変更されても、管Ｐを確実に抱持して固定可能であるため、管Ｐが揺らいだりすることを防止できる。
【００４０】
なお、本実施例では、管支持受部材１の強度を更に補強するために、支持部１１の略中央と延設片１２とを固定した補強部材６を架設しており、このような補強部材６を設けておけば、特に、大型の管Ｐように、大きな加重がかかる場合等であっても、管支持受部材１が撓むことなく、管Ｐに対する強度を十分に確保できる。
【産業上の利用可能性】
【００４１】
本発明は、マンション等の住宅の床下や天井裏等に配管される給水管、排水管、ガス管等の様々な管を支持するための管支持具として有効に利用することが可能である。
【図面の簡単な説明】
【００４２】
【図１】本発明に係る管支持具Ａの一実施例を示す使用状態の概略側面図である。
【符号の説明】
【００４３】
Ａ    管支持具
Ｐ    管
１    管支持受部材
１１  支持部
１２  延設片
１３  凹凸部
２    支柱
２１  凹凸受部
３    ロック手段
４    ベース基材
５    押付け部材
５１  通孔
５２  止め具
【図１】
2006090445.tif 000003